(57)【要約】【課題】  針部材による指示の誤認を防ぐことができる文字板構造および指針式機器を提供する。【解決手段】  文字板８の機能表示部１９に沿って文字板８の上方を運針する針部材２０が、長さの異なる第１〜第３の各針２１〜２３を有し、この各針２１〜２３が互いに所定角度で放射状に延びた状態で一体的に設けられ、機能表示部１９が、針部材２０の回転中心部を中心として所定の角度範囲で形成された表示領域２４と、この表示領域２４内において第１〜第３の各針２１〜２３の各長さに応じてそれぞれ異なる半径の各円弧に沿って設けられた第１〜第３の各目盛部２５〜２７とを有し、第１〜第３の各針２１〜２３のうち１つの針がこの１つの針に対応する目盛部を指示する際に、残りの針がいずれの目盛部をも指示しない。従って、機能表示部１９の第１〜第３の各目盛部２５〜２７を針部材２０が指示する際に、針部材２０による指示の誤認を防ぐことができる。【選択図】        図３
2011038867.tif 000002
【特許請求の範囲】
【請求項１】
所定箇所に機能表示部が表示された文字板と、この文字板の前記機能表示部に沿って前記文字板の上方を運針する針部材とを備えており、
前記針部材は長さの異なる複数の針を有しており、この複数の針は互いに所定角度をなして放射状に延びた状態で一体的に設けられており、
前記機能表示部は、前記針部材の回転中心部を中心として所定の角度範囲で形成された表示領域と、この表示領域内において前記複数の針の異なる長さに応じてそれぞれ異なる半径の各円弧に沿って設けられ、且つ前記複数の針がそれぞれ対応する複数の目盛部とを有しており、
前記複数の針のうち１つの針がこの１つの針に対応する目盛部を指示する際に、前記複数の針のうち残りの針は前記複数の目盛部以外の箇所を指示することを特徴とする文字板構造。
【請求項２】
前記針部材は長さの異なる第１〜第３の各針を有しており、この第１〜第３の各針は互いに１２０度の角度に開いた状態で放射状に一体的に設けられており、
前記機能表示部の前記表示領域は前記針部材の回転中心部を中心として１２０度の角度範囲で形成されており、
この表示領域内に設けられた前記複数の目盛部は、前記第１の針に対応する第１の目盛部と、前記第２の針に対応する第２の目盛部と、前記第３の針に対応する第３の目盛部とを有していることを特徴とする請求項１に記載の文字板構造。
【請求項３】
前記複数の針のうち１つの針がこの１つの針に対応する目盛部を指示している際に、残りの針を覆い隠すための第２の文字板を備えていることを特徴とする請求項１または請求項２に記載の文字板構造。
【請求項４】
請求項１に記載の文字板構造を機器本体に備えていることを特徴とする指針式機器。
【発明の詳細な説明】
【技術分野】
【０００１】
この発明は、時計などの電子機器や計器類に用いられる文字板構造および指針式機器に関する。
【背景技術】
【０００２】
例えば、時計に用いられる文字板構造においては、特許文献１に記載されているように、文字板の上方を運針する指針の一端部に時刻指示部を設け、他端部に機能指示部を設け、モード選択スイッチで通常運針モードを選択した際に、文字板の外周に設けられた時刻表示部を指針の時刻指示部が指示し、モード選択スイッチで機能表示モードを選択した際に、文字板の所定箇所に設けられた機能表示部を指針の機能指示部が指示するように構成されたものが知られている。
【先行技術文献】
【特許文献】
【０００３】
【特許文献１】特開２００４−２２６３５０号公報
【発明の概要】
【発明が解決しようとする課題】
【０００４】
しかしながら、このような従来の文字板構造では、モード選択スイッチで通常運針モードと機能表示モードとのいずれを選択したかを、使用者が覚えていなければ、指針が時刻を指示しているのか、あるいは機能表示を指示しているのか、判断することができず、このため指針による指示を誤認することがあるという問題がある。
【０００５】
この発明が解決しようとする課題は、針部材による指示の誤認を防ぐことができる文字板構造および指針式機器を提供することである。
【課題を解決するための手段】
【０００６】
この発明は、上記課題を解決するために、次のような構成要素を備えている。
請求項１に記載の発明は、所定箇所に機能表示部が表示された文字板と、この文字板の前記機能表示部に沿って前記文字板の上方を運針する針部材とを備えており、前記針部材は長さの異なる複数の針を有しており、この複数の針は互いに所定角度をなして放射状に延びた状態で一体的に設けられており、前記機能表示部は、前記針部材の回転中心部を中心として所定の角度範囲で形成された表示領域と、この表示領域内において前記複数の針の異なる長さに応じてそれぞれ異なる半径の各円弧に沿って設けられ、且つ前記複数の針がそれぞれ対応する複数の目盛部とを有しており、前記複数の針のうち１つの針がこの１つの針に対応する目盛部を指示する際に、前記複数の針のうち残りの針は前記複数の目盛部以外の箇所を指示することを特徴とする文字板構造である。
【０００７】
請求項２に記載の発明は、前記針部材が長さの異なる第１〜第３の各針を有しており、この第１〜第３の各針は互いに１２０度の角度に開いた状態で放射状に一体的に設けられており、前記機能表示部の前記表示領域は前記針部材の回転中心部を中心として１２０度の角度範囲で形成されており、この表示領域内に設けられた前記複数の目盛部は、前記第１の針に対応する第１の目盛部と、前記第２の針に対応する第２の目盛部と、前記第３の針に対応する第３の目盛部とを有していることを特徴とする請求項１に記載の文字板構造である。
【０００８】
請求項３に記載の発明は、前記複数の針のうち１つの針がこの１つの針に対応する目盛部を指示している際に、残りの針を覆い隠すための第２の文字板を備えていることを特徴とする請求項１または請求項２に記載の文字板構造である。
【０００９】
請求項４に記載の発明は、請求項１に記載の文字板構造を機器本体に備えていることを特徴とする指針式機器である。
【発明の効果】
【００１０】
この発明によれば、針部材に異なる長さで所定角度をなして放射状に一体的に設けられた複数の針が文字板の上方を運針する際に、長さの異なる複数の針のうち、１つの針がこの１つの針に対応する機能表示部の目盛部を指示すると、残りの針が機能表示部における複数の目盛部のいずれをも指示しない。このため、針部材が複数の針を有し、且つ機能表示部が複数の目盛部を有しても、機能表示部の目盛部を針部材が指示する際に、針部材による指示の誤認を防ぐことができる。
【図面の簡単な説明】
【００１１】
【図１】この発明を適用した腕時計の実施形態１を示した拡大斜視図である。
【図２】図１の腕時計のＡ−Ａ矢視における拡大断面図である。
【図３】図１の腕時計における時計モジュールを示した拡大正面図である。
【図４】図１の腕時計における機能表示部を示した拡大斜視図である。
【図５】図３の機能表示部における針部材を示した拡大正面図である。
【図６】図３の機能表示部において第１の針が電池の充電状態を表す第１の目盛部を指示する状態を示し、（ａ）は第１の針が第１の目盛部のチャージ指示（Ｃ）を指示した状態を示した図、（ｂ）は第１の針が第１の目盛部の電池残量低（Ｌ）を指示した状態を示した図、（ｃ）は第１の針が第１の目盛部の電池残量中（Ｍ）を指示した状態を示した図、（ｄ）は第１の針が第１の目盛部の電池残量高（Ｈ）を指示した状態を示した図、（ｅ）は第１の針が第１の目盛部のパワーセイブモード（ＰＳ）を指示した状態を示した図である。
【図７】図３の機能表示部において第２の針が各種の機能モードを表す第２の目盛部を指示する状態を示し、（ａ）は第２の針が第２の目盛部のワールドタイムモード（ＷＴ）を指示した状態を示した図、（ｂ）は第２の針が第２の目盛部のストップウオッチモード（ＳＴ）を指示した状態を示した図、（ｃ）は第２の針が第２の目盛部のタイマーモード（ＴＲ）を指示した状態を示した図、（ｄ）は第２の針が第２の目盛部のアラームモード（ＡＬ）を指示した状態を示した図である。
【図８】図３の機能表示部において第３の針が第３の目盛部を指示する状態を示し、（ａ）は第３の針が第３の目盛部の電波受信準備（Ｒ）を指示した状態を示した図、（ｂ）は第３の針が第３の目盛部の電波受信中（Ｗ）を指示した状態を示した図、（ｃ）は第３の針が第３の目盛部の第１タイムゾーン（Ｔ１）を指示した状態を示した図、（ｄ）は第３の針が第３の目盛部の第２タイムゾーン（Ｔ２）を指示した状態を示した図である。
【図９】この発明を適用した腕時計の実施形態２において時計モジュールを示した拡大正面図である。
【図１０】図９の時計モジュールのＢ−Ｂ矢視における拡大断面図である。
【図１１】図９の機能表示部において第１の針が電池の充電状態を表す第１の目盛部を指示する状態を示し、（ａ）は第１の針が第１の目盛部のチャージ指示（Ｃ）を指示した状態を示した図、（ｂ）は第１の針が第１の目盛部の電池残量低（Ｌ）を指示した状態を示した図、（ｃ）は第１の針が第１の目盛部の電池残量中（Ｍ）を指示した状態を示した図、（ｄ）は第１の針が第１の目盛部の電池残量高（Ｈ）を指示した状態を示した図、（ｅ）は第１の針が第１の目盛部のパワーセイブモード（ＰＳ）を指示した状態を示した図である。
【図１２】図９の機能表示部において第２の針が各種の機能モードを表す第２の目盛部を指示する状態を示し、（ａ）は第２の針が第２の目盛部のワールドタイムモード（ＷＴ）を指示した状態を示した図、（ｂ）は第２の針が第２の目盛部のストップウオッチモード（ＳＴ）を指示した状態を示した図、（ｃ）は第２の針が第２の目盛部のタイマーモード（ＴＲ）を指示した状態を示した図、（ｄ）は第２の針が第２の目盛部のアラームモード（ＡＬ）を指示した状態を示した図である。
【図１３】図９の機能表示部において第３の針が第３の目盛部を指示する状態を示し、（ａ）は第３の針が第３の目盛部の電波受信準備（Ｒ）を指示した状態を示した図、（ｂ）は第３の針が第３の目盛部の電波受信中（Ｗ）を指示した状態を示した図、（ｃ）は第３の針が第３の目盛部の第１タイムゾーン（Ｔ１）を指示した状態を示した図、（ｄ）は第３の針が第３の目盛部の第２タイムゾーン（Ｔ２）を指示した状態を示した図である。
【発明を実施するための形態】
【００１２】
（実施形態１）
以下、図１〜図８を参照して、この発明を指針式の腕時計に適用した実施形態１について説明する。
この腕時計は、図１および図２に示すように、時計本体を構成している腕時計ケース１を備えている。この腕時計ケース１の上部外周にはベゼル２が取り付けられており、この腕時計ケース１の上側開口部には時計ガラス３がパッキン３ａを介して取り付けられている。また、この腕時計ケース１の内部には、時計モジュール４が収容されており、この腕時計ケース１の下部には裏蓋５が防水リング５ａを介して取り付けられている。さらに、この腕時計ケース１の外側面には、複数の押釦スイッチ６が設けられている。
【００１３】
時計モジュール４は、図２に示すように、ハウジング４ａを備えている。このハウジング４ａ内には、時計ムーブメント７が設けられている。また、このハウジング４ａの上面には、文字板８が配置されている。この文字板８は、図３に示すように、全体がほぼ円形の平板状に形成されている。この文字板８の外周部には、時字９が１時から１２時の各位置にそれぞれ対応して設けられている。この文字板８の上部における外周部は、腕時計ケース１内の鍔部１ａに当接しており、この鍔部１ａと時計ガラス３との間には、リング状の見切部材１０が設けられている。
【００１４】
また、文字板８のほぼ中心部には、図１〜図３に示すように、時計ムーブメント７によって駆動される指針軸１１が文字板８の軸挿入孔８ａを通して上方に突出した状態で設けられている。この指針軸１１の上部には、時針及び分針の指針１２が取り付けられている。この指針１２は、文字板８の上方を運針して文字板８の時字９を指示することにより、現在時刻の時分を指示するように構成されている。
【００１５】
一方、この文字板８における１１時付近から１時付近に亘って対応する箇所には、図１および図３に示すように、曜日やモードなどの情報を電気光学的に表示する第１表示部１３が設けられている。また、この文字板８における５時付近から７時付近に亘って対応する箇所には、現在時刻などの情報を電気光学的に表示する第２表示部１４が設けられている。この場合、第１、第２の各表示部１３、１４は、それぞれ液晶表示パネルやＥＬ（エレクトロルミネッセンス）表示パネルなどの平面型の表示パネルからなっている。
【００１６】
また、この文字板８の所定箇所、つまり２時付近から４時付近に亘って対応する箇所には、図１〜図３に示すように、円形状の第１補助機能表示部１５が設けられている。この第１補助機能表示部１５の外周には、秒時間を表す秒目盛部１６がリング状に設けられている。また、この第１補助機能表示部１５の中心部には、図２に示す時計ムーブメント７によって駆動される補助軸である秒針軸１７が文字板８の上方に突出した状態で設けられている。
【００１７】
この秒針軸１７の上部には、図１〜図３に示すように、補助針である秒針１８が取り付けられている。この秒針１８は、文字板８における第１補助機能表示部１５の上方を運針して第１補助機能表示部１５の秒目盛部１６を指示することにより、現在時刻の秒時間、あるいはストップウオッチモードにおける秒時間を指示するように構成されている。
【００１８】
ところで、この文字板８の他の所定箇所、つまり８時付近から１０時付近に亘って対応する箇所には、図１〜図４に示すように、ほぼ半円形の扇状をなす機能表示部１９が設けられている。この機能表示部１９における扇状の要の部分には、図２に示す時計ムーブメント７によって駆動されて文字板８の機能表示部１９に沿って運針する針部材２０が設けられている。
【００１９】
この針部材２０は、図３に示すように、長さの異なる第１〜第３の各針２１〜２３を有している。この第１〜第３の各針２１〜２３は、互いに所定角度、すなわち１２０度の角度をもって放射状に延びた状態で、時計ムーブメント７によって駆動される軸部２０ａに一体的に設けられている。この場合、第１〜第３の各針２１〜２３のうち、第１の針２１はその長さが最も長く形成されており、第２の針２２はその長さが第１の針２１よりも短く形成されており、第３の針２３はその長さが第２の針２２よりも短く形成されている。
【００２０】
また、この機能表示部１９には、図３に示すように、針部材２０の回転中心部である軸部２０ａを中心として、所定の角度範囲つまり１２０度の角度範囲で表示領域２４が設けられている。この表示領域２４内には、外周側から内周側に向けて第１〜第３の各針２１〜２３にそれぞれ対応する第１〜第３の各目盛部２５〜２７が設けられている。すなわち、第１の目盛部２５は、表示領域２４の外周側に位置し、最も長さの長い第１の針２１の長さを半径とする円弧に沿って設けられている。これにより、第１の目盛部２５は、第１の針２１が対応して運針するように構成されている。
【００２１】
同様に、第２の目盛部２６は、図３に示すように、表示領域２４における第１の目盛部２５の内周側に位置し、第１の針２１よりも短い第２の針２２の長さを半径とする円弧に沿って設けられている。これにより、第２の目盛部２６は、第２の針２２が対応して運針するように構成されている。第３の目盛部２７は、表示領域２４における第２の目盛部２６の内周側に位置し、第２の針２２よりも短い第３の針２３の長さを半径とする円弧に沿って設けられている。これにより、第３の目盛部２７は、第３の針２３が対応して運針するように構成されている。
【００２２】
この場合、第１の目盛部２５は、図３および図４に示すように、電池の充電状態を表す目盛である。すなわち、この第１の目盛部２５には、充電を指示するチャージ指示（Ｃ）、電池残量が少ない状態を表す電池残量低（Ｌ）、電池残量が中程度の状態を表す電池残量中（Ｍ）、電池残量が多い状態を表す電池残量高（Ｈ）、および電池の消耗を抑制するパワーセイブモード（ＰＳ）が、表示領域２４内に第１の針２１の長さに対応する半円弧に沿って表示されている。
【００２３】
また、第２の目盛部２６は、図３および図４に示すように、各種の機能モードを表す目盛である。すなわち、この第２の目盛部２６には、世界各都市の時刻を示すワールドタイムモード（ＷＴ）、ストップウオッチ機能を示すストップウオッチモード（ＳＴ）、タイマー機能を示すタイマーモード（ＴＲ）、およびアラーム機能を示すアラームモード（ＡＬ）が、表示領域２４内における第１の目盛部２５よりも内周側に第２の針２２の長さに対応する半円弧に沿って表示されている。
【００２４】
さらに、第３の目盛部２７は、図３および図４に示すように、時刻を修正するために標準時刻電波を受信するときに電波受信機能を表すと共に、通常の時刻表示状態で、指針１２により、現在居る都市の現在時刻を表示しているか、それとも、時差のある他の都市の時刻を表示しているかを表す目盛である。すなわち、この第３の目盛部２７には、標準時刻電波を受信する準備を表す電波受信準備（Ｒ）、標準時刻電波の受信中を表す電波受信中（Ｗ）、指針１２が現在居る第１のタイムゾーンの時刻を表示していることを表す第１タイムゾーン（Ｔ１）、および時差のある第２のタイムゾーンの時刻を表示していることを表す第２タイムゾーン（Ｔ２）が、表示領域２４内における第２の目盛部２６よりも内周側に第３の針２３の長さに対応する半円弧に沿って表示されている。
【００２５】
これにより、機能表示部１９は、押釦スイッチ６の操作によって電池の充電状態を表す機能が選択されると、図３、図６（ａ）〜図６（ｄ）に示すように、針部材２０が駆動されて第１の針２１が表示領域２４内の第１の目盛部２５を指示し、残りの第２、第３の各針２２、２３が表示領域２４の外側を指示することにより、第１の針２１のみが第１の目盛部２５のチャージ指示（Ｃ）、電池残量低（Ｌ）、電池残量中（Ｍ）、電池残量高（Ｈ）、およびパワーセイブモード（ＰＳ）のいずれかを指示するように構成されている。
【００２６】
また、この機能表示部１９は、押釦スイッチ６の操作によって各種の機能を表す機能モードが選択されると、図７（ａ）〜図７（ｄ）に示すように、針部材２０が駆動されて第２の針２２が表示領域２４内の第２の目盛部２６を指示し、残りの第１、第３の各針２１、２３が表示領域２４の外側を指示することにより、第２の針２２のみが第２の目盛部２６のワールドタイムモード（ＷＴ）、ストップウオッチモード（ＳＴ）、タイマーモード（ＴＲ）、およびアラームモード（ＡＬ）のいずれかを指示するように構成されている。
【００２７】
さらに、この機能表示部１９は、押釦スイッチ６の操作によって電波受信機能が選択されると、図８（ａ）〜図８（ｂ）に示すように、針部材２０が駆動されて第３の針２３が表示領域２４内の第３の目盛部２７を指示し、残りの第１、第２の各針２１、２２が表示領域２４の外側を指示することにより、第３の針２３のみが第３の目盛部２７の電波受信準備（Ｒ）、及び電波受信中（Ｗ）のいずれかを指示するように構成されている。また、通常の時刻表示状態では、図８（ｃ）〜図８（ｂ）に示すように、針部材２０が駆動されて第３の針２３が表示領域２４内の第３の目盛部２７を指示し、残りの第１、第２の各針２１、２２が表示領域２４の外側を指示することにより、第３の針２３のみが第３の目盛部２７の第１タイムゾーン（Ｔ１）、および第２タイムゾーン（Ｔ２）のいずれかを指示するように構成されている。
【００２８】
次に、この腕時計を使用する場合について説明する。
通常は、図３に示すように、時針、分針などの指針１２が文字板８の上方を運針して、文字板８の上面外周に設けられた時字９を指示することにより、現在時刻の時分を知ることができる。このときには、文字板８の第１補助機能表示部１５における秒針１８が第１補助機能表示部１５に設けられた秒目盛部１６を指示することにより、現在時刻の秒時刻を知ることができる。また、このときには、第１表示部１３に曜日などの情報が表示されると共に、第２表示部１４に現在時刻が表示される。
【００２９】
この状態で、押釦スイッチ６の操作によって電池の充電状態を表す機能が選択されると、図３および図６に示すように、針部材２０が駆動されて第１の針２１が表示領域２４内の第１の目盛部２５を指示する。このとき、充電をする必要がある場合には、図６（ａ）に示すように、第１の針２１が第１の目盛部２５のチャージ指示（Ｃ）を指示する。また、電池の残量が少ないときには、図６（ｂ）に示すように、第１の針２１が第１の目盛部２５の電池残量低（Ｌ）を指示する。
【００３０】
また、電池の残量が中程度のときには、図６（ｃ）に示すように、第１の針２１が第１の目盛部２５の電池残量中（Ｍ）を指示する。また、電池の残量が多いときには、図６（ｄ）に示すように、第１の針２１が第１の目盛部２５の電池残量高（Ｈ））を指示する。さらに、電池の消耗を抑制しているときには、図６（ｅ）に示すように、パワーセイブモード（ＰＳ）を指示する。
【００３１】
このように、第１の針２１が第１の目盛部２５を指示しているときには、針部材２０の残りの第２、第３の各針２２、２３が表示領域２４の外側を指示して第１〜第３の各目盛部２５〜２７のいずれも指示しないため、第１の目盛部２５に対する第１の針２１の指示によって電池の充電状態を正確に知ることができる。
【００３２】
また、押釦スイッチ６の操作によって各種の機能モードが選択されると、図３および図７に示すように、針部材２０が駆動されて第２の針２２が表示領域２４内の第２の目盛部２６を指示する。このとき、世界各都市の時刻を示すモードが選択されると、図７（ａ）に示すように、第２の針２２が第２の目盛部２６のワールドタイムモード（ＷＴ）を指示し、時針、分針の指針１２が指定された都市の時刻を指示すると共に、第２表示部１４にその都市の時刻が表示される。
【００３３】
また、このとき、ストップウオッチ機能を示すモードが選択されると、図７（ｂ）に示すように、第２の針２２が第２の目盛部２６のストップウオッチモード（ＳＴ）を指示し、第１補助機能表示部１５の秒針１８がストップウオッチ時間を指示すると共に、第２表示部１４にその経過時間が表示される。また、タイマー機能を示すモードが選択されると、図７（ｃ）に示すように、第２の針２２が第２の目盛部２６のタイマーモード（ＴＲ）を指示し、第２表示部１４にそのタイマー時間が表示される。
【００３４】
さらに、アラーム機能を示すモードが選択されると、図７（ｄ）に示すように、第２の針２２が第２の目盛部２６のアラームモード（ＡＬ）を指示し、第２表示部１４にアラーム時刻が表示される。このように、第２の針２２が第２の目盛部２６を指示しているときには、針部材２０の残りの第１、第３の各針２１、２３が表示領域２４の外側を指示して第１〜第３の各目盛部２５〜２７のいずれも指示しないため、第２の目盛部２６に対する第２の針２２の指示によって各種の機能モードのいずれが選択されているのかを正確に知ることができる。
【００３５】
また、押釦スイッチ６の操作によって電波受信機能が選択されると、図３および図８に示すように、針部材２０が駆動されて第３の針２３が表示領域２４内の第３の目盛部２７を指示する。このとき、標準時刻電波を受信する準備中であれば、図８（ａ）に示すように、第３の針２３が第３の目盛部２７の電波受信準備（Ｒ）を指示する。また、標準時刻電波を受信中のときには、図８（ｂ）に示すように、第３の針２３が第３の目盛部２７の電波受信中（Ｗ）を指示する。
【００３６】
また、通常の時刻表示状態では、指針１２により第１のタイムゾーンの時刻を表示しているときには、図８（ｃ）に示すように、第３の針２３が第３の目盛部２７の第１タイムゾーン（Ｔ１）を指示する。さらに、第２のタイムゾーンの時刻を表示しているときには、図８（ｄ）に示すように、第３の針２３が第３の目盛部２７の第２タイムゾーン（Ｔ２）を指示する。このように第３の針２３が第３の目盛部２７を指示しているときには、針部材２０の残りの第１、第２の各針２１、２２が表示領域２４の外側を指示して第１〜第３の各目盛部２５〜２７のいずれも指示しないため、第３の目盛部２７に対する第３の針２３の指示によって時刻修正の状態、あるいは表示されている時刻のタイムゾーンを正確に知ることができる。
【００３７】
このように、この腕時計によれば、文字板８の機能表示部１９に沿って文字板８の上方を運針する針部材２０が、長さの異なる第１〜第３の各針２１〜２３を有し、この第１〜第３の各針２１〜２３が互いに所定角度で放射状に延びた状態で一体的に設けられ、機能表示部１９が、針部材２０の回転中心部を中心として所定の角度範囲で形成された表示領域２４と、この表示領域２４内に設けられて第１〜第３の各針２１〜２３がそれぞれ対応する第１〜第３の各目盛部２５〜２７とを有し、第１〜第３の各針２１〜２３のうち、１つの針がこれに対応する目盛部を指示する際に、残りの針が目盛部以外の箇所を指示するので、針部材２０による指示の誤認を防ぐことができる。
【００３８】
すなわち、この腕時計では、針部材２０の第１〜第３の各針２１〜２３が文字板８の上方を運針する際に、第１〜第３の各針２１〜２３のうち、１つの針、例えば第１の針２１がこの第１の針２１に対応する機能表示部１９の第１の目盛部２５を指示すると、残りの針、例えば第２、第３の各針２２、２３が機能表示部１９の第１〜第３の各目盛部２５〜２７のいずれをも指示しないため、針部材２０が第１〜第３の各針２１〜２３を有し、且つ機能表示部１９が第１〜第３の各目盛部２５〜２７を有しても、機能表示部１９の第１〜第３の各目盛部２５〜２７に対する針部材２０による指示の誤認を確実に防ぐことができる。
【００３９】
これは、第１の針２１に限らず、例えば第２の針２２がこの第２の針２２に対応する機能表示部１９における第２の目盛部２６を指示すると、残りの第１、第３の各針２１、２３が機能表示部１９の第１〜第３の各目盛部２５〜２７のいずれも指示することがない。また、第３の針２３がこの第３の針２３に対応する機能表示部１９における第３の目盛部２７を指示すると、残りの第１、第２の各針２１、２２が機能表示部１９の第１〜第３の各目盛部２５〜２７のいずれをも指示することがない。このため、機能表示部１９の第１〜第３の各目盛部２５〜２７を針部材２０が指示する際に、針部材２０による指示の誤認を確実に防ぐことができる。
【００４０】
（実施形態２）
次に、図９〜図１３を参照して、この発明を適用した腕時計の実施形態２について説明する。なお、図１〜図８に示された実施形態１と同一部分には同一符号を付して説明する。
この腕時計は、図９および図１０に示すように、時計モジュール４のハウジング４ａ上に下文字板３０を設け、この下文字板３０の上方にスペーサ部材３２を介して上文字板３１を設けた構成であり、これ以外は実施形態１とほぼ同じ構成になっている。
【００４１】
この場合、下文字板３０は、図９および図１０に示すように、全体が円形の平板状に形成されている。この下文字板３０の外周部には、実施形態１と同様、時字９が１時から１２時の各位置にそれぞれ対応して設けられている。この下文字板３０における１１時付近から１時付近に亘って対応する箇所には、第１表示部１３が設けられている。
【００４２】
また、この下文字板３０における５時付近から７時付近に亘って対応する箇所には、第２表示部１４が設けられている。さらに、この下文字板３０における２時付近から４時付近に亘って対応する箇所には、円形状の第１補助機能表示部１５が設けられている。また、この下文字板３０における８時付近から１０時付近に亘って対応する箇所には、ほぼ扇状をなす機能表示部１９が設けられている。
【００４３】
一方、上文字板３１は、図９および図１０に示すように、下文字板３０の上方にスペーサ部材３２を介して配置されている。この上文字板３１の中心部には、時計ムーブメント７によって駆動される指針軸１１が下文字板３０および上文字板３１の各軸挿入孔３３を通して上文字板３０の上方に突出した状態で設けられている。この指針軸１１の上部には、実施形態１と同様に、時針、分針などの指針１２が取り付けられている。この指針１２は、上文字板３１の上方を運針して、後述するように下文字板３１の時字９を指示することにより、現在時刻の時分を指示するように構成されている。
【００４４】
また、この上文字板３１には、図９に示すように、下文字板３０の第１表示部１３およびその外周側に位置する時字９を含む領域に対応する第１開口部３４と、下文字板３０の第２表示部１４およびその外周側に位置する時字９を含む領域に対応する第２開口部３５と、下文字板３０の第１補助表示機能部１５に対応する第２開口部３６と、機能表示部１９に対応する第４開口部３７とが設けられている。
【００４５】
この場合、第１開口部３４は、上文字板３１の１１時付近から１時付近に亘って対応する箇所に位置し、全体が第１表示部１３およびその外周側に位置する時字９を含む扇状の形状に形成され、下文字板３０に設けられた第１表示部１３およびその外周側の時字９が上方から見えるように構成されている。
【００４６】
第２開口部３５は、図９に示すように、上文字板３１の５時付近から７時付近に亘って対応する箇所に位置し、全体が第２表示部１４およびその外周側に位置する時字９を含むほぼ扇状の形状に形成され、下文字板３０に設けられた第２表示部１４およびその外周側の時字９が上方から見えるように構成されている。
【００４７】
第３開口部３６は、上文字板３１の２時付近から４時付近に亘って対応する箇所に位置し、全体が第１補助機能表示部１５に対応する円形状に形成され、下文字板３０に設けられた第１補助機能表示部１５が上方から見えるように構成されている。この場合、上文字板３１の外周部には、２時〜４時に対応する時字９が上方から見えるように切欠き部３１ａが設けられている。
【００４８】
さらに、第４開口部３７は、図９に示すように、上文字板３１の８時付近から１０時付近に亘って対応する箇所に位置し、全体が機能表示部１９の表示領域２４に対応するほぼ扇状の形状に形成され、下文字板３０に設けられた機能表示部１９の表示領域２４およびその外周側に位置する時字９が上方から見えるように構成されている。
【００４９】
この場合、第４開口部３７における針部材２０の軸部２０ａの上方に対応する箇所には、その軸部２０ａを覆い隠すための半円部３７ａが、機能表示部１９内に向けて突出した状態で設けられている。また、この第４開口部３７には、表示領域２４の一端部（８時側に位置する端部）に沿う第１開口縁３７ｂと、表示領域２４の他端部（１０時側に位置する端部）に沿う第２開口縁３７ｃとが設けられている。
【００５０】
ところで、第１補助機能表示部１５の外周には、実施形態１と同様、秒時間を表す秒目盛部１６が設けられており、この第１補助表示部１５の中心部には、時計ムーブメント７によって駆動される秒針軸１７が下文字板３０の上方に突出した状態で設けられている。この秒針軸１７の上部には、秒針１８が上文字板３１の下側に位置した状態で取り付けられている。
【００５１】
この秒針１８は、図９に示すように、上文字板３１の第３開口部３６に対応する下文字板３０の第１補助機能表示部１５の上方を運針して、第１補助機能表示部１５の秒目盛部１６を指示することにより、現在時刻の秒時間、あるいはストップウオッチモードにおける秒時間を指示し、その秒時間が第３開口部３６を通して上文字板３１の上方から見るように構成されている。
【００５２】
機能表示部１９は、実施形態１と同様、その扇状の要の部分に設けられて、時計ムーブメント７によって駆動されて下文字板３０の機能表示部１９に沿って運針する針部材２０を備えている。この針部材２０も長さの異なる第１〜第３の各針２１〜２３を有しており、この第１〜第３の各針２１〜２３は互いに所定角度、すなわち１２０度の角度をもって放射状に延びた状態で、時計ムーブメント７によって駆動される軸部２０ａに一体的に設けられている。
【００５３】
また、この機能表示部１９には、図９に示すように、針部材２０の回転中心部である軸部２０ａを中心として、所定の角度範囲つまり１２０度の角度範囲で表示領域２４が上文字板３１の第４開口部に対応して設けられている。この表示領域２４内には、外周側から内周側に向けて第１〜第３の各目盛部２５〜２７が設けられている。第１の目盛部２５は、表示領域２４の外周側に位置し、最も長さの長い第１の針２１が対応して運針するように設けられている。
【００５４】
同様に、第２の目盛部２６は、図９、図１２（ａ）〜図１２（ｄ）に示すように、表示領域２４における第１の目盛部２５の内周側に位置し、第１の針２１よりも短い第２の針２２が対応して運針するように設けられている。第３の目盛部２７は、図９、図１３（ａ）〜図１３（ｄ）に示すように、表示領域２４における第２の目盛部２６の内周側に位置し、第２の針２２よりも短い第３の針２３が対応して運針するように設けられている。
【００５５】
この場合にも、第１の目盛部２５は、図９、図１１（ａ）〜図１１（ｅ）に示すように、電池の充電状態を表す目盛である。すなわち、この第１の目盛部２５には、充電を指示するチャージ指示（Ｃ）、電池残量が少ない状態を表す電池残量低（Ｌ）、電池残量が中程度の状態を表す電池残量中（Ｍ）、電池残量が多い状態を表す電池残量高（Ｈ）、および電池の消耗を抑制するパワーセイブモード（ＰＳ）が、表示領域２４内に第１の針２１の長さを半径とする半円弧に沿って表示されている。
【００５６】
また、第２の目盛部２６は、図９、図１２（ａ）〜図１２（ｄ）に示すように、各種の機能モードを表す目盛である。すなわち、この第２の目盛部２６には、世界各都市の時刻を示すワールドタイムモード（ＷＴ）、ストップウオッチの機能を示すストップウオッチモード（ＳＴ）、タイマー機能を示すタイマーモード（ＴＲ）、およびアラーム機能を示すアラームモード（ＡＬ）が、表示領域２４内における第１の目盛部２５よりも内周側に第２の針２２の長さを半径とする半円弧に沿って表示されている。
【００５７】
さらに、第３の目盛部２７は、図９、図１３（ａ）〜図１３（ｄ）に示すように、時刻を修正するために標準時刻電波を受信するときに電波受信機能を表すと共に、通常の時刻表示状態で、指針１２により、現在居る都市の現在時刻を表示しているか、それとも、時差のある他の都市の時刻を表示しているかを表す目盛である。すなわち、この第３の目盛部２７には、標準時刻電波を受信する準備を表す電波受信準備（Ｒ）、標準時刻電波の受信中を表す電波受信中（Ｗ）、現在居る第１のタイムゾーンの時刻を表示していることを表す第１タイムゾーン（Ｔ１）、および時差のある第２のタイムゾーンの時刻を表示していることを表す第２タイムゾーン（Ｔ２）が、表示領域２４内における第２の目盛部２６よりも内周側に第３の針２３の長さに対応する半円弧に沿って表示されている。
【００５８】
これにより、機能表示部１９は、実施形態１と同様、押釦スイッチ６の操作によって電池の充電状態を表す機能が選択されると、図９および図１１に示すように、針部材２０が駆動されて第１の針２１が上文字板３１の第４開口部３７に対応する表示領域２４内の第１の目盛部２５を指示し、残りの第２、第３の各針２２、２３が上文字板３１の下側に隠れて外部から見えないように構成されている。
【００５９】
このため、この機能表示部１９は、電池の充電状態を表す機能が選択された際に、図１１（ａ）〜図１１（ｅ）に示すように、第１の針２１が第１の目盛部２５のチャージ指示（Ｃ）、電池残量低（Ｌ）、電池残量中（Ｍ）、電池残量高（Ｈ）、およびパワーセイブモード（ＰＳ）のいずれかを指示している状態が、上文字板３１の第４開口部３７を通して上方から見るように構成されている。
【００６０】
また、この機能表示部１９は、実施形態１と同様、押釦スイッチ６の操作によって各種の機能を表す機能モードが選択されると、図９および図１２に示すように、針部材２０が駆動されて第２の針２２が上文字板３１の第４開口部３７に対応する表示領域２４内の第２の目盛部２６を指示し、残りの第１、第３の各針２１、２３が上文字板３１の下側に隠れて外部から見えないように構成されている。
【００６１】
このため、この機能表示部１９は、各種の機能を表す機能モードが選択された際に、図１２（ａ）〜図１２（ｄ）に示すように、第２の針２２が第２の目盛部２６のワールドタイムモード（ＷＴ）、ストップウオッチモード（ＳＴ）、タイマーモード（ＴＲ）、およびアラームモード（ＡＬ）のいずれかを指示している状態が、上文字板３１の第４開口部３７を通して上方から見るように構成されている。
【００６２】
さらに、この機能表示部１９は、実施形態１と同様、図９および図１３に示すように、針部材２０が駆動されて第３の針２３が上文字板３１の第４開口部３７に対応する表示領域２４内の第３の目盛部２７を指示し、残りの第１、第２の各針２１、２２が上文字板３１の下側に隠れて外部から見えないように構成されている。
【００６３】
このため、この機能表示部１９は、図１３（ａ）〜図１３（ｄ）に示すように、第３の針２３が第３の目盛部２７の電波受信準備（Ｒ）、電波受信中（Ｗ）、第１タイムゾーン（Ｔ１）、および第２タイムゾーン（Ｔ２）のいずれかを指示している状態が、上文字板３１の第４開口部３７を通して上方から見るように構成されている。
【００６４】
このように、この腕時計によれば、実施形態１と同様の作用効果があるほか、下文字板３０に設けられた機能表示部１９の針部材２０における第１〜第３の各針２１〜２３のうち、１つの針、例えば第１の針２１がこの第１の針２１に対応する機能表示部１９の第１の目盛部２５を指示している際に、残りの針、例えば第２、第３の各針２２、２３を上文字板３１で隠すことができるので、針部材２０が第１〜第３の各針２１〜２３を有し、且つ機能表示部１９が第１〜第３の各目盛部２５〜２７を有しても、機能表示部１９の第１〜第３の各目盛部２５〜２７を針部材２０が指示する際に、針部材２０による指示の誤認を確実に防ぐことができる。
【００６５】
すなわち、下文字板３０の上方にスペーサ部材３２を介して配置された上文字板３１には、下文字板３０に設けられた機能表示部１９の表示領域２４に対応する第４開口部３７が設けられており、この第４開口部３７には、針部材２０の軸部２０ａを覆い隠す半円部３７ａと、表示領域２４の一端部に沿う第１開口縁３７ｂと、表示領域２４の他端部に沿う第２開口縁３７ｃとが設けられているので、第１〜第３の各針２１〜２３のうち、例えば第１の針２１がこの第１の針２１に対応する機能表示部１９における第１の目盛部２５を指示している際に、残りの第２、第３の各針２２、２３を上文字板３１の下側に外部から見えないように隠すことができる。
【００６６】
これは、第１の針２１に限らず、例えば第２の針２２がこの第２の針２２に対応する機能表示部１９における第２の目盛部２６を指示している際には、残りの第１、第３の各針２１、２３を上文字板３１の下側に外部から見えないように隠すことができる。また、第３の針２３がこの第３の針２３に対応する機能表示部１９における第３の目盛部２７を指示している際には、残りの第１、第２の各針２１、２２を上文字板３１の下側に外部から見えないように隠すことができる。このため、機能表示部１９の第１〜第３の各目盛部２５〜２７を針部材２０が指示する際に、針部材２０による指示の誤認を確実に防ぐことができる。
【００６７】
この場合、時針、分針などの指針１２は上文字板３１の上方を運針して時刻を指示し、第１、第２の各表示部１３、１４は下文字板３０に設けられて上文字板３１の第１、第２の各開口部３４、３５を通して上方から見え、第１補助機能表示部１５および機能表示部１９は下文字板３０に設けられて上文字板３１の第３、第４の各開口部３６、３７を通して上方から見えるので、多機能な腕時計でありながら、立体感があり、デザイン的に好ましいものを得ることができる。
【００６８】
なお、上記実施形態１、２では、針部材２０の第１〜第３の各針２１〜２３が異なる長さで形成されている場合について述べたが、これに限らず、例えば第１〜第３の各針２１〜２３は、その長さがそれぞれ異なると共に、その形状もそれぞれ異なるように形成しても良い。例えば、第１の針２１を細長く形成し、第２の針２２を第１の針２１よりも太く形成し、第３の針２３を最も太く形成し、この第３の針２３の中間部にスリット孔を形成した構成でも良く、また各針の先端部における形状をそれぞれ異なる形状に形成した構成でも良い。
【００６９】
また、これに限らず、例えば第１〜第３の各針２１〜２３をそれぞれ異なる色で着色し、且つ第１〜第３の各目盛部２５〜２７もそれぞれ異なる色で着色しても良い。この場合、第１の針２１と第１の目盛部２５とを同じ色、例えば赤色で着色し、第２の針２２と第２の目盛部２６とを同じ色、例えば青色で着色し、第３の針２３と第３の目盛部２７とを同じ色、例えば黄色で着色しても良い。このようにすれば、更に良好に識別することができ、より一層、針部材２０による誤認を防ぐことができる。
【００７０】
さらに、上記実施形態１、２では、針部材２０に異なる長さの第１〜第３の各針２１〜２３を設け、この第１〜第３の各針２１〜２３を１２０度の角度で開いた状態で設け、機能表示部１９の表示領域２４を１２０度の角度範囲で形成し、この表示領域２４内に第１〜第３の各目盛部２５〜２７をそれぞれ各針の長さに応じた異なる半径の円弧に沿って設けた場合について述べたが、これに限らず、例えば針部材に異なる長さの第１〜第４の各針を設け、この第１〜第４の各針を９０度の角度で開いた状態で設け、機能表示部の表示領域を９０度の角度範囲で形成し、この表示領域内に第１〜第４の各目盛部をそれぞれ各針の長さに応じた異なる半径の円弧に沿って設けた構成でも良い。
【００７１】
また、これに限らず、例えば針部材に異なる長さのｎ個の針を設け、このｎ個の針を（ｎ／３６０）度の角度で開いた状態で設け、機能表示部の表示領域を（ｎ／３６０）度の角度範囲で形成し、この表示領域内にｎ個の各目盛部をそれぞれ各針の長さに応じた異なる半径の円弧に沿って設けた構成でも良い。
【００７２】
なおまた、上記実施形態１、２およびその各変形例では、この発明に係わる文字板構造を指針式の腕時計に適用した場合について述べたが、必ずしも腕時計である必要はなく、例えばトラベルウオッチ、目覚まし時計、置き時計、掛け時計などの各種の指針式の時計に適用することができるほか、必ずしも時計である必要はなく、自動車や水道のメータなどの指針式の計器類を含む指針式機器にも、この発明の文字板構造を組み込むことにより、広く適用することができる。
【符号の説明】
【００７３】
１  腕時計ケース
４  時計モジュール
７  時計ムーブメント
８  文字板
１２  指針
１９  機能表示部
２０  針部材
２０ａ  軸部
２１〜２３  第１〜第３の各針
２４  表示領域
２５〜２７  第１〜第３の各目盛部
３０  下文字板
３１  上文字板
３４〜３７  第１〜第４の各開口部
【図１】
2011038867.tif 000003
【図２】
2011038867.tif 000004
【図３】
2011038867.tif 000005
【図４】
2011038867.tif 000006
【図５】
2011038867.tif 000007
【図６】
2011038867.tif 000008
【図７】
2011038867.tif 000009
【図８】
2011038867.tif 000010
【図９】
2011038867.tif 000011
【図１０】
2011038867.tif 000012
【図１１】
2011038867.tif 000013
【図１２】
2011038867.tif 000014
【図１３】
2011038867.tif 000015